(57)【要約】【課題】排便後の処理を容易としつつ、排尿または排便の前は子供に与えうる不快感を軽減するとともに排尿または排便の後は子供に不快感を与えることが可能なおむつトイレトレーニング用シートを提供する。【解決手段】子供用肌着の両側の面のうち肌に触れる側の面に敷いて用いられ、子供用肌着が着用されたときに下腹部から臀部まで接触させることが可能なおむつライナー１に関する。このおむつライナー１は、布シート１０と、子供用肌着が着用されたときに肌に触れる側に布シート１０と重ねられるとともに、この布シート１０から乖離させることが可能に構成される格子状のメッシュシート２０とを備える。【選択図】図２
2020114313.tif 000002
【特許請求の範囲】
【請求項１】
子供用肌着の両側の面のうち肌に触れる側の面に敷いて用いられ、該子供用肌着が着用されたときに下腹部から臀部まで接触させることが可能なトイレトレーニング用シートであって、
布シートと、
前記子供用肌着が着用されたときに肌に触れる側に前記布シートと重ねられるとともに、該布シートから乖離させることが可能に構成される格子状のメッシュシートと、
を備えることを特徴とするトイレトレーニング用シート。
【請求項２】
前記下腹部から前記臀部に向かう方向を長さ方向とし、該長さ方向と直交する方向と幅方向としたとき、前記子供用肌着が着用されたときに股間に対応する部位の幅方向の大きさが、前記下腹部に対応する部位の幅方向の大きさおよび前記臀部に対応する部位の幅方向の大きさのいずれよりも小さくなるよう構成されてなる
ことを特徴とする請求項１に記載のトイレトレーニング用シート。
【請求項３】
前記布シートおよび前記メッシュシートの前記臀部側の端部と一体的に構成されつつ該端部から延在し、前記子供用肌着が着用されたときに、前記子供用肌着の両側の面のうち肌に触れる側の面とは反対側の面と接触するように折り返される折返部材をさらに備える
ことを特徴とする請求項１または２に記載のトイレトレーニング用シート。
【発明の詳細な説明】
【技術分野】
【０００１】
本発明は、例えば、トイレトレーニングを行う子供が着用する子供用肌着に用いられるトイレトレーニング用シートに関する。
【背景技術】
【０００２】
生まれたばかりの赤ちゃんはおむつを使用し、その後、１歳半〜３歳に達した子供はトイレトレーニングを開始する。トイレトレーニングを開始した子供が着用する子供用肌着は、例えば介護を要する大人が着用する肌着とは異なり、排尿または排便を行った際に子供に不快感を与えるものである必要がある。このような子供用肌着としては、例えばトレーニングパンツが一般的に用いられる。なお、トレーニングパンツとしては、例えば特許文献１に開示されるものが知られている。
【先行技術文献】
【特許文献】
【０００３】
【特許文献１】特開平０５−２４７７０１号公報
【発明の概要】
【発明が解決しようとする課題】
【０００４】
しかし、トイレトレーニングパンツは、排泄物の洩れが生じないように複数の層で形成されているため（例えば特許文献１の請求項１４参照）、排尿または排便する前から着用する子供に不快感を与えうる。
【０００５】
なお、トイレトレーニングを開始した子供が着用する子供用パンツに敷いて用いるものとして、不織布で構成される市販のトレーニングパッドも知られている。このようなトレーニングパッドは、排便が洩れないように構成されているため排便後の処理が比較的容易であるものの、股間に対応する部位の厚みが大きく、排尿または排便する前から子供に不快感を与えるおそれがあり、根本的な解決とはなっていない。
【０００６】
本発明は、そのような点に鑑みてなされたものであり、排便後の処理を容易としつつ、排尿または排便の前は子供に与えうる不快感を軽減するとともに排尿または排便の後は子供に不快感を与えることが可能なおむつトイレトレーニング用シートを提供することを目的とする。
【課題を解決するための手段】
【０００７】
（１）本発明のトイレトレーニング用シートは、
子供用肌着（例えば、子供用パンツ）の両側の面のうち肌に触れる側の面に敷いて用いられ、該子供用肌着が着用されたときに下腹部から臀部まで接触させることが可能なトイレトレーニング用シート（例えば、おむつライナー１）であって、
布シート（例えば、布シート１０）と、
前記子供用肌着が着用されたときに肌に触れる側に前記布シートと重ねられるとともに、該布シートから乖離させることが可能に構成される格子状のメッシュシート（例えば、メッシュシート２０）と、
を備えることを特徴とする。
【０００８】
上記（１）の１のトイレトレーニング用シートによれば、排便後の処理を容易としつつ、排尿または排便の前は子供に与えうる不快感を軽減するとともに排尿または排便の後は子供に不快感を与えることが可能なおむつトイレトレーニング用シートを提供することができる。
【０００９】
（２）上記（１）に記載のトイレトレーニング用シートにおいて、
前記下腹部から前記臀部に向かう方向を長さ方向（例えば、前後方向）とし、該長さ方向と直交する方向と幅方向（例えば、左右方向）としたとき、前記子供用肌着が着用されたときに股間に対応する部位の幅方向の大きさが、前記下腹部に対応する部位の幅方向の大きさおよび前記臀部に対応する部位の幅方向の大きさのいずれよりも小さくなるよう構成されてなる
ことを特徴とする。
【００１０】
上記（２）のトイレトレーニング用シートによれば、子供のＯ脚の矯正に貢献することが可能なトイレトレーニング用シートを提供することができる。
【００１１】
（３）上記（１）または（２）に記載のトイレトレーニング用シートにおいて、
前記布シート（例えば、布シート１０）および前記メッシュシート（例えば、メッシュシート２０）の前記臀部側の端部（例えば、後方側の端部）と一体的に構成されつつ該端部から延在し、前記子供用肌着が着用されたときに、前記子供用肌着の両側の面のうち肌に触れる側の面（例えば、肌側面）とは反対側の面（例えば、外側面）と接触するように折り返される折返部材３０をさらに備える
ことを特徴とする。
【００１２】
上記（３）のトイレトレーニング用シートによれば、子供用肌着（例えば、子供用パンツ）が着用された状態で、トイレトレーニング用シートのズレを抑制することができる。
【発明の効果】
【００１３】
本発明によれば、排便後の処理を容易としつつ、排尿または排便の前は子供に与えうる不快感を軽減するとともに排尿または排便の後は子供に不快感を与えることが可能なおむつトイレトレーニング用シートを提供することができる。
【図面の簡単な説明】
【００１４】
【図１】本発明に係るトイレトレーニング用シートの一例として説明されるおむつライナーの平面図である。
【図２】図１に示されるメッシュシートを、布シートから分離させるようにめくった態様の一例を示す図である。
【発明を実施するための形態】
【００１５】
以下、本発明の実施形態に係るトイレトレーニング用シートについて図面を参照しつつ説明する。
【００１６】
トイレトレーニング用シートは、例えば１歳半〜４歳の幼児のトイレトレーニングに用いられるシートであり、例えば子供用パンツに使用されるものである。この実施形態では、トイレトレーニング用シートとして、おむつライナー１を例に挙げて、以下に説明する。
【００１７】
図１は、本発明に係るトイレトレーニング用シートの一例として説明されるおむつライナー１の平面図である。このおむつライナー１は、例えば子供用パンツの両側の面のうち、着用されたときに子供の肌に触れる側の面（以下「肌側面」と称する）に敷いて用いられる。
【００１８】
なお、この明細書において、図１に示されるように、紙面上方がおむつライナー１の前方、紙面下方がおむつライナー１の後方、紙面左方がおむつライナー１の左方、紙面右方がおむつライナー１の右方と定義する。
【００１９】
おむつライナー１は、子供用パンツに敷いて使用された際に、子供用パンツの肌側面の前方側におむつライナー１の前方が位置し、子供用パンツの肌側面の後方側におむつライナー１の後方が位置するように、前後方向に長く形成されている。すなわち、おむつライナー１は、子供用パンツが着用された際に、子供用パンツを着用した子供の下腹部から臀部まで接触するように前後方向に長いものである。
【００２０】
おむつライナー１は、図１に示す前後方向に延びる１枚の布シート１０と、この布シート１０と重ねて使用される格子状の１枚のメッシュシート２０とを備える。布シート１０とメッシュシート２０とは、子供用パンツが着用された際に、メッシュシート２０が子供の肌と触れる側となるように重ねて使用される。なお、本実施形態では、布シート１０とメッシュシート２０とは、略同じ形状である。
【００２１】
布シート１０は、例えば、木綿、絹、麻または合成繊維等によって形成された繊維状のシートであって、子供が排尿した際に、排尿を吸収する機能を有する。ただし、排尿を吸収できる量は少量であり、子供用パンツへの浸透を遅延させる程度に留まる。これにより、排尿された後、子供に不快感を与えうる。
【００２２】
メッシュシート２０は、子供の肌と触れるため、子供の肌がかぶれない素材で形成されることが好ましく、例えば、ポリエステル系、ビニール系またはナイロン等の素材が用いられる。また、メッシュシート２０は、子供が排便した際に、便との乖離性が高く且つ子供用パンツへの便の浸透を抑制する機能を有する。すなわち、排便された後、布シート１０や子供用パンツへの便の浸透が抑制されて子供の臀部に排便が留まるため、子供に不快感を与えうる。また、子供用パンツへの便の浸透が抑制されるため、排便後の処理が容易であるだけでなく、子供用パンツの汚れを軽減することができる。
【００２３】
なお、メッシュシート２０のメッシュの目は、小さすぎると便との乖離性が低下するとともに、付着した便を洗い流しにくい。一方、メッシュの目が大きくすぎると、便との乖離性が向上し、付着した便を洗い流しやすいが、便が子供用パンツまで浸透してしまうおそれがある。そのため、メッシュシート２０のメッシュの目は、便の乖離性を担保でき、水分を多量に含む便でない限り（例えば下痢等を発症していない場合の通常の便である限り）便の浸透を抑制できる程度の大きさであればよい。ポリエステル系のメッシュシート２０で実験を行ったところ、メッシュの目が１ｍｍ〜４ｍｍの範囲内であれば便の浸透を抑制できるとともに便の乖離性も良好であることが確認できたが、メッシュの目が２ｍｍ〜３ｍｍであればより一層良好な結果が得られることが確認できている。ただし、メッシュシート２０の素材等によっては最適なメッシュの目が異なる可能性があるため、メッシュの目の大きさは上記に限定されない。
【００２４】
また、布シート１０は、子供用パンツに敷いて使用された際に子供の股間に対応する部位に括れ部１２が形成されている。同様に、メッシュシート２０についても、子供用パンツに敷いて使用された際に子供の股間に対応する部位に括れ部２２が形成されている。この括れ部１２，２２の幅方向（左右方向）の大きさは、子供用パンツに敷いて使用された際に、子供の下腹部に対応する部位の幅方向（左右方向）の大きさおよび子供の臀部に対応する部位の幅方向（左右方向）の大きさのいずれよりも小さくなるように湾曲に形成されている。このように、子供の股間に対応する部位に括れ部１２，２２が形成されることにより、子供用パンツに敷いて資料された際に、子供に与えうる不快感を軽減することが可能となる。
【００２５】
また、一般的に、乳児はＯ脚であり、幼少期に歩くことによってＯ脚が矯正される。しかし、股間に対応する部位に厚みを有するパンツ等を着用すると、幼少期に右足と左足との間が開かざるをえず、Ｏ脚の矯正が抑制されてしまうおそれがある。この点、布シート１０およびメッシュシート２０に括れ部１２，２２を形成することにより、Ｏ脚の矯正に貢献することが可能となる。したがって、括れ部１２，２２の湾曲の形状は、幼児の太股の周囲の形状に沿う形状であることが好ましい。
【００２６】
なお、本実施形態のおむつライナー１は、布シート１０とメッシュシート２０とが略同じ形状であるが、これに限られず、子供用パンツが着用された際に、少なくとも布シート１０が子供の下腹部に接触し、少なくともメッシュシート２０が子供の臀部に接触する形状であれば、布シート１０とメッシュシート２０とが略同じ形状であることは必須ではない。
【００２７】
また、本実施形態のおむつライナー１は、おむつライナー１の後方側の端部に、略正方形の折返部３０が設けられている。この折返部３０は、例えば、木綿、絹、麻または合成繊維等によって形成された繊維状の布シートであるが、布シート１０と同じ素材であっても異なる素材であってもよい。
【００２８】
折返部３０は、布シート１０およびメッシュシート２０の後方側の端部からさらに後方に延在する態様で、前方側の端部が布シート１０とメッシュシート２０との間に挟まれて縫合されている。このようにして、布シート１０およびメッシュシート２０の後方側の端部（折返部３０の前方側の端部）において、布シート１０、メッシュシート２０および折返部３０が一体的に構成されている。ただし、布シート１０とメッシュシート２０とは、前方側の端部から後方側の端部までは重ね合わされているだけであり、前方側の端部から後方側の端部（すなわち縫合されている部位）までは両者を分離させることができる。
【００２９】
折返部３０は、子供用パンツが着用された際に、子供用パンツの肌側面から反対側の面（以下「外側面」と称する）に折り返され、折返部３０の前方側の端部が子供用パンツの肌側面に位置し、折返部３０の後方側の端部が子供用パンツの外側面に位置する。これにより、子供用パンツのゴム部分の締め付けにより、折返部３０が子供の背中と子供用パンツとの間で固定され、おむつライナー１全体のズレ（特に左右方向のズレ）を抑制することが可能となる。
【００３０】
次に、おむつライナー１が肌側面に敷かれた子供用パンツを幼児が着用し、排便されたときの対処について、図２を参照しつつ説明する。図２は、図１に示されるメッシュシート２０を、布シート１０から分離させるようにめくった態様の一例を示す図である。なお、図２では、メッシュシート２０に付着した便の図示を省略している。
【００３１】
なお、図２では、説明の便宜上、紙面上方がおむつライナー１の後方、紙面下方がおむつライナー１の前方となるようにおむつライナー１が図示されている。
【００３２】
メッシュシート２０の表裏面のうち、子供の肌と接触する側の面を表面２４、布シート１０側の面を裏面２６としたとき、排便は、メッシュシート２０の表面２４に付着する。そこで、図２に示すように、メッシュシート２０を、表面２４が下方を向くように前方側の端部からめくって布シート１０と分離させることにより、メッシュシート２０の表面２４に付着した便を下方（例えばトイレの排便部等）に落下させることができる。実験によれば、メッシュシート２０の表面２４に付着した便が仮に潰れていたとしても、メッシュシート２０との乖離性が高く、表面２４が下を向くようにメッシュシート２０の前方側の端部からめくることにより、容易に便が下方に落下することが確認できている。
【００３３】
このように、本実施形態のおむつライナー１によれば、メッシュシート２０を、表面２４が下方を向くように前方側の端部からめくって布シート１０と分離させるだけで表面２４に付着した便を落下させることができだけでなく、子供用パンツの汚れも軽減できるため、排便後の処理を容易とすることができる。したがって、例えば外出先で子供が排便をした際に、仮に子供用パンツの予備を持ち合わせていなくとも、おむつライナー１を取り替えるだけで子供用パンツの再着用を可能としうる。さらに、しかも、本実施形態のおむつライナー１は、子供用パンツの肌側面に敷くだけであるため排尿または排便の前は子供に与えうる不快感を軽減することができ、排尿後や排便後は子供に不快感を与えることができ、トイレトレーニングを好適に行うことができる。
【００３４】
また、メッシュシート２０と便との乖離性が高いため、おむつライナー１を洗うことにより、おむつライナー１を再利用することも可能である。そのため、使い捨てが多いトイレトレーニングパンツと比べて、コスト的にユーザーに強いる負担を軽減することも可能である。
【００３５】
また、おむつライナー１は、子供用パンツの肌側面に敷くだけであるため、子供用パンツを洗う場合に、複数の層で構成されるトレーニングパンツのように乾きにくいといったデメリットもない。
【００３６】
なお、本実施形態では、１枚の布シート１０と１枚のメッシュシート２０とが重ね合わされているが、必ずしもこれに限られない。例えば、子供用パンツが着用された際に、少なくとも１枚のメッシュシート２０が子供の肌と触れるのであれば、便の乖離性を担保でき、且つ通常の便が子供用パンツまで浸透してしまうことを抑制できるのであれば、布シート１０または／およびメッシュシート２０を複数枚重ねてもよい。
【００３７】
また、図２では、メッシュシート２０の表面２４と裏面２６とを識別しやすいように、表面２４と裏面２６とを異なるパターンで図示しているが、表面２４と裏面２６とでメッシュの形状等が異なることを意味するものではない。すなわち、表面２４と裏面２６とでメッシュの形状が同じであってもよいし、例えばメッシュシート２０を複数枚重ねて表面２４と裏面２６とでメッシュの形状が異なるようにしてもよい。
【００３８】
また、子供用パンツが着用された際に、少なくとも布シート１０が子供の下腹部に接触し、少なくともメッシュシート２０が子供の臀部に接触する形状であればよいと上述したが、子供用パンツの汚れを軽減する観点から言えば、臀部に対応する部位において、メッシュシート２０の裏面２６側に布シート１０が重ね合わされていることが好ましい。
【産業上の利用可能性】
【００３９】
本発明によれば、排尿または排便した子供に不快感を与えつつ、子供用肌着の汚れを軽減するとともに排便処理を容易ならしめるおむつトイレトレーニング用シートを提供することができる。
【符号の説明】
【００４０】
１  おむつライナー
１０  布シート
１２  布シートの括れ部
２０  メッシュシート
２２  メッシュシートの括れ部２２
３０  折返部
【図１】
2020114313.tif 000003
【図２】
2020114313.tif 000004
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
子供用肌着の両側の面のうち肌に触れる側の面に敷いて用いられ、該子供用肌着が着用されたときに下腹部から臀部まで接触させることが可能なトイレトレーニング用シートであって、
布シートと、
前記子供用肌着が着用されたときに肌に触れる側となるように前記布シートと重ねられ、排便されたときの便が前記臀部に留まるように前記布シートへの浸透を抑制するとともに、該布シートから分離させることが可能に構成される格子状のメッシュシートと、
を備え、
前記メッシュシートは、
前記下腹部から前記臀部に向かう方向を長さ方向としたとき、該長さ方向における一の端部が前記布シートと一体的に構成されるとともに、前記一の端部を除く部位については前記布シートと重ね合わせるだけで構成されてなる
ことを特徴とするトイレトレーニング用シート。
【請求項２】
前記長さ方向と直交する方向と幅方向としたとき、前記子供用肌着が着用されたときに股間に対応する部位の幅方向の大きさが、前記下腹部に対応する部位の幅方向の大きさおよび前記臀部に対応する部位の幅方向の大きさのいずれよりも小さくなるよう構成されてなる
ことを特徴とする請求項１に記載のトイレトレーニング用シート。
【請求項３】
前記布シートおよび前記メッシュシートの前記臀部側の端部と一体的に構成されつつ該端部から延在し、前記子供用肌着が着用されたときに、前記子供用肌着の両側の面のうち肌に触れる側の面とは反対側の面と接触するように折り返される折返部材をさらに備える
ことを特徴とする請求項１または２に記載のトイレトレーニング用シート。
【手続補正２】
【補正対象書類名】明細書
【補正対象項目名】０００７
【補正方法】変更
【補正の内容】
【０００７】
（１）本発明のトイレトレーニング用シートは、
子供用肌着（例えば、子供用パンツ）の両側の面のうち肌に触れる側の面に敷いて用いられ、該子供用肌着が着用されたときに下腹部から臀部まで接触させることが可能なトイレトレーニング用シート（例えば、おむつライナー１）であって、
布シート（例えば、布シート１０）と、
前記子供用肌着が着用されたときに肌に触れる側となるように前記布シートと重ねられ、排便されたときの便が前記臀部に留まるように前記布シートへの浸透を抑制するとともに、該布シートから分離させることが可能に構成される格子状のメッシュシート（例えば、メッシュシート２０）と、
を備え、
前記メッシュシートは、
前記下腹部から前記臀部に向かう方向を長さ方向としたとき、該長さ方向における一の端部が前記布シートと一体的に構成されるとともに、前記一の端部を除く部位については前記布シートと重ね合わせるだけで構成されてなる
ことを特徴とする。
【手続補正３】
【補正対象書類名】明細書
【補正対象項目名】０００９
【補正方法】変更
【補正の内容】
【０００９】
（２）上記（１）に記載のトイレトレーニング用シートにおいて、
前記長さ方向と直交する方向と幅方向（例えば、左右方向）としたとき、前記子供用肌着が着用されたときに股間に対応する部位の幅方向の大きさが、前記下腹部に対応する部位の幅方向の大きさおよび前記臀部に対応する部位の幅方向の大きさのいずれよりも小さくなるよう構成されてなる
ことを特徴とする。